(57)【要約】【課題】  治療中の吸引感が、変化に富んで良好であり、好適なマッサージをし、マンネリを防止し、充血を緩和する等の配慮をなした吸引制御部付低周波治療器を提供すること。【解決手段】  フィードバック制御機能（８）は、吸引導子（４）の吸引力を検出する圧力センサ（７）と、吸引導子（４）に吸引圧を掛ける真空ポンプ（６）と、真空ポンプ（６）を駆動させる制御回路（２３）と、圧力センサ（７）からの出力信号を演算処理すると共に前記制御回路（２３）に制御信号を与えるマイコン（１５）とから構成され、設定器（９）は吸引導子（４）の吸引圧を設定する負圧設定器（１８）を備え、マイコン（１５）は制御信号を増減させることによって吸引導子（４）の吸引圧を設定した値に一致させることを特徴とする吸引制御部付低周波治療器である。【選択図】      図１
2006094988.tif 000002
【特許請求の範囲】
【請求項１】
低周波出力部（２）と吸引制御部（３）と吸引導子（４）とから構成され、
前記吸引制御部（３）は設定器（９）とフィードバック制御機能（８）とから構成され、
前記フィードバック制御機能（８）は、吸引導子（４）の吸引力を検出する圧力センサ（７）と、吸引導子（４）に吸引圧を掛ける真空ポンプ（６）と、真空ポンプ（６）を駆動させる制御回路（２３）と、圧力センサ（７）からの出力信号を演算処理すると共に前記制御回路（２３）に制御信号を与えるマイコン（１５）とから構成され、
前記設定器（９）は吸引導子（４）の吸引圧を設定する負圧設定器（１８）を備え、
前記マイコン（１５）は、圧力センサ（７）の出力信号を演算処理して現在の吸引圧を認識し、更に、現在の吸引圧と設定した吸引圧とを比較しその結果に基づいて制御信号を増減させることによって、吸引導子（４）の吸引圧を設定した値に一致させることを特徴とする吸引制御部付低周波治療器。
【請求項２】
制御回路（２３）は、位相制御回路（１６）であり、
吸引圧を変動させる信号がマイコン（１５）から位相制御回路（１６）に入力されると、該位相制御回路（１６）は、吸引導子（４）の吸引圧が漸増漸減を繰り返すよう真空ポンプ（６）を駆動させることを特徴とする請求項１記載の吸引制御部付低周波治療器。
【請求項３】
変動吸引圧形態の１サイクルの時間を設定する時間設定器（１９）と、吸引圧の大きさを設定する負圧設定器（１８）とが付加設置され、
前記時間設定器（１９）及び負圧設定器（１８）の各出力はマイコン（１５）に入力され、
時間設定器（１９）及び負圧設定器（１８）で、繰り返し出力される変動吸引圧の形態を適宜に変更設定できることを特徴とする請求項２記載の吸引制御部付低周波治療器。
【請求項４】
真空ポンプ（６）から吸引導子（４）の間の負圧が付加された適宜位置に、負圧の大きさを弱めるリーク孔（２２）が開設されていることを特徴とする請求項１記載の吸引制御部付低周波治療器。
【発明の詳細な説明】
【技術分野】
【０００１】
本発明は、内部に電極を有する吸引導子を人体患部に吸着し、人体患部に低周波電流を通電し、マッサージ治療及び電気治療を施す吸引制御部付低周波治療器に関する。
【背景技術】
【０００２】
従来技術の特開平１１−２２１２８９号公報には、電極と、内部に電極を装備した吸盤と、低周波治療器における吸引制御部と、連続吸引を行なう開始時制御手段とからなる低周波治療器における吸引制御部が開示されている。
【０００３】
前記公報には、吸盤内の負圧の大きさを自動的に変化させる制御ユニットが開示されているが、具体的な構成は開示されていない。
【特許文献１】特開平１１−２２１２８９号公報
【発明の開示】
【発明が解決しようとする課題】
【０００４】
解決しようとする問題点は、治療中の吸引感が単調であり変化に欠け、好適なマッサージへの配慮、マンネリ防止への配慮、充血緩和への配慮が低いという点である。
本発明の目的は、上記問題点を解決し、治療中の吸引感が、変化に富んで良好であり、好適なマッサージを行ない、マンネリを防止し、充血を緩和する等の配慮をなした吸引制御部付低周波治療器を提供することである。
【課題を解決するための手段】
【０００５】
本発明は、低周波出力部（２）と吸引制御部（３）と吸引導子（４）とから構成され、前記吸引制御部（３）は設定器（９）とフィードバック制御機能（８）とから構成され、前記フィードバック制御機能（８）は、吸引導子（４）の吸引力を検出する圧力センサ（７）と、吸引導子（４）に吸引圧を掛ける真空ポンプ（６）と、真空ポンプ（６）を駆動させる制御回路（２３）と、圧力センサ（７）からの出力信号を演算処理すると共に前記制御回路（２３）に制御信号を与えるマイコン（１５）とから構成され、前記設定器（９）は吸引導子（４）の吸引圧を設定する負圧設定器（１８）を備え、マイコン（１５）は、圧力センサ（７）の出力信号を演算処理して現在の吸引圧を認識し、更に、現在の吸引圧と設定した吸引圧とを比較しその結果に基づいて制御信号を増減させることによって、吸引導子（４）の吸引圧を設定した値に一致させることを特徴とする吸引制御部付低周波治療器である。
又、制御回路（２３）は、位相制御回路（１６）であり、吸引圧を変動させる信号がマイコン（１５）から位相制御回路（１６）に入力されると、該位相制御回路（１６）は、吸引導子（４）の吸引圧が漸増漸減を繰り返すよう真空ポンプ（６）を駆動させる。
更に、変動吸引圧形態の１サイクルの時間を設定する時間設定器（１９）と、吸引圧の大きさを設定する負圧設定器（１８）とが付加設置され、前記時間設定器（１９）及び負圧設定器（１８）の各出力はマイコン（１５）に入力され、時間設定器（１９）及び負圧設定器（１８）で、繰り返し出力される変動吸引圧の形態を適宜に変更設定できる。
更に又、真空ポンプ（６）から吸引導子（４）の間の負圧が付加された適宜位置に、負圧の大きさを弱めるリーク孔（２２）が開設されている。
【発明の効果】
【０００６】
本発明に係る真空ポンプ６は、マイコン１５からの制御信号に基づいて吸引導子４の吸引圧を設定した値に一致させるものである。
この構成によれば吸引導子４の負圧値を、設定値に一致させて安定に提供できる。従って、患者の皮膚の状況に対応して負圧値を設定すれば、痛くなく快適に吸引導子４を吸着でき、好都合である。
【０００７】
本発明は、マイコン１５から吸引圧を変動させる信号が位相制御回路１６に入力すると、該位相制御回路１６は、吸引導子４の吸引圧が漸増漸減を繰り返すよう真空ポンプ６を駆動させるものであるから、真空ポンプ６による負圧をスイープ状（＝負圧の漸増・漸減の変化の繰り返し）になすことにより、好適なマッサージ効果が得られ、馴れを防止でき、患部の充血や痛みや痒みを防止でき、好都合である。
【０００８】
本発明は、変動吸引圧形態の１サイクルの時間を設定する時間設定器１９と、吸引圧の大きさを設定する負圧設定器１８とが付加設置され、前記時間設定器１９及び負圧設定器１８の各出力はマイコン１５に入力され、時間設定器１９及び負圧設定器１８で、繰り返し出力される変動吸引圧の形態を適宜に設定できるから、吸引圧を患者に対応して好適に設定でき、快適なマッサージ刺激を与えることができ、好都合である。
【０００９】
本発明は、真空ポンプ６から吸引導子４の間の負圧が付加された適宜位置に、負圧の大きさを弱めるリーク孔２２が開設されているので、負圧の大きさを弱めるように設定した時に、速やかに負圧が弱まり、スムーズな吸引制御を行なえ、好都合である。
【発明を実施するための最良の形態】
【００１０】
治療中の吸引感が、変化に富んで良好であり、好適なマッサージを行ない、マンネリを防止し、充血を緩和する等の配慮をなすという目的を、吸引制御部３の真空ポンプ６を、フィードバック制御機能８でフィードバック制御し、スイープ制御機能１７で負圧を繰り返し漸増漸減させ、時間設定器１９及び負圧設定器１８で、１サイクルの変動吸引圧形態（＝スイープ態様）を適宜に設定するものにして、実現した。
【実施例１】
【００１１】
図１、２に示す本発明の吸引制御部付低周波治療器１は、患者にマッサージ及び電気治療を施すものである。
吸引制御部付低周波治療器１は、低周波出力部２と吸引制御部３と吸引導子４とからなる。
該吸引制御部３は、吸引導子４に繋がる分配器５と、分配器５に吸引圧を掛ける真空ポンプ６と、分配器５に繋がる圧力センサ７と、圧力センサ７の出力信号を得て真空ポンプ６をフィードバック制御するフィードバック制御機能８と、フィードバック制御機能８に接続され、吸引圧力値を適宜に設定する設定器９とからなる。
【００１２】
低周波出力部２は、低周波数のパルスを発生する搬送波発生部１０と、搬送波発生部１０の出力を変調する甲・乙変調部１１ａ・１１ｂと、甲・乙変調部１１ａ・１１ｂを制御するマイコン１５と、甲変調部１１ａの出力を電力増幅する甲出力部１２ａと、乙変調部１１ｂの出力を電力増幅する乙出力部１２ｂと、甲出力部１２ａの出力を人体に導く一対の甲・乙電極１４ａ・１４ｂと、乙出力部１２ｂの出力を人体に導く一対の丙・丁電極１４ｃ・１４ｄとから構成される。
【００１３】
図３に示す装置は、二人用であり、低周波出力部２及び吸引制御部３が二組収納される。
【００１４】
吸引制御部３は、吸引導子４の内部空気を吸引し負圧にするものであり、空気を吸引する真空ポンプ６と、負圧を複数個の吸引導子４に分配する分配器５と、分配器５に連通され分配器５の空気圧（＝負圧）を検出する圧力センサ７と、マイコン１５と、真空ポンプ６を駆動し制御する制御回路２３と、任意の値を入力する設定器９とからなる。
【００１５】
マイコン１５は、制御回路２３を介して真空ポンプ６の回転数を漸増と漸減に繰り返し制御するスイープ制御機能１７を有する。
マイコン１５と、制御回路２３と、真空ポンプ６と、分配器５と、圧力センサ７とを一環に連結して、分配器５の負圧を設定した一定値に保つように真空ポンプ６を制御するフィードバック制御機能８を構成する。
設定器９は、スイープ制御時の吸引導子４の負圧を設定する負圧設定器１８と、スイープ制御時の１サイクルの時間を設定する時間設定器１９とからなる。
【００１６】
吸引導子４（＝甲吸引導子４ａ、乙吸引導子４ｂ、丙吸引導子４ｃ、丁吸引導子４ｄ）は、軟材を椀形状に形成してなる。
吸引導子４には真空ポンプ６の管路２１が接続され、内部に負圧が掛かっている。
【００１７】
吸引導子４の内部には人体表皮に接触して人体に通電を行なう電極１４が設けられる。
四個の吸引導子４に係る各電極１４は導線１３で各出力部１２に接続される。
【００１８】
内部が空洞の分配器５の一方には真空ポンプ６が管路２１で接続される。
分配器５の他方には四個の吸引導子４及び圧力センサ７がそれぞれ管路２１で接続される。
前記分配器５は、真空ポンプ６の負圧を、四個の吸引導子４及び圧力センサ７に、分配する分配機能を有する。
又、分配器５には、外気に繋がる微小口径のリーク孔２２が開口される。（クレーム４）
【００１９】
真空ポンプ６は、具体的にはダイヤフラム式真空ポンプであり、前記分配器５内を負圧にし、更に、分配器５を介して吸引導子４内の空気を排出し、吸引導子４内を負圧にする。
【００２０】
圧力センサ７は、分配器５の負圧を検出するものである。分配器５に吸引導子４が連通されるので、吸引導子４の負圧を検出できる。圧力センサ７の出力はマイコン１５に入力される。
【００２１】
位相制御回路１６は、真空ポンプ６に掛かる電力の位相を制御するものであり、真空ポンプ６作動を強弱調節し吸引導子４の吸引力を調節する。
【００２２】
スイープ制御機能１７は、真空ポンプ６の回転数を漸増と漸減に繰り返し制御するものである。該漸増漸減制御された真空ポンプ６の負圧口側では、負圧の大きさが、繰り返し漸増と漸減を繰り返す（＝スイープ変動）。
【００２３】
負圧設定器１８は、マイコン１５に接続され、負圧（＝吸引圧）値を操作者が適宜に設定するものである。
【００２４】
時間設定器１９は、真空ポンプ６のスイープ作動の１サイクルの時間（＝漸増時間と漸減時間の合計）を設定するものであり、前記時間設定器１９の出力はスイープ制御機能１７に入力される。
負圧設定器１８及び時間設定器１９を操作し適宜に設定して吸引導子４のスイープ態様を決める。
【００２５】
フィードバック制御機能８は、マイコン１５が、圧力センサ７の出力を得て位相制御回路１６を介して真空ポンプ６をフィードバック制御し、吸引圧力を制御するものであり、その制御により、負圧設定器１８で設定した設定負圧値に分配器５の実測負圧値が一致する。
尚、図３中、２４はコネクターである。
【００２６】
本発明の使用を開始するに際して、先ず、吸引制御部３を作動させる。吸引制御部３が作動すると、管路２１を介して吸引導子４に負圧が掛かる。
負圧が掛かった吸引導子４の開口部２０を人体表皮に当てると、該吸引導子４は人体表皮に吸着し、内部の電極１４は人体表皮に当接する。
【００２７】
甲・乙吸引導子４ａ・４ｂによって人体に流す通電経路と、丙・丁導子４ｃ・４ｄによって人体に流す通電経路とが交差するように、甲・乙・丙・丁吸引導子４ａ・４ｂ・４ｃ・４ｄを人体表皮に吸着する。
負圧設定器１８で吸引導子４の吸引圧を適宜に設定し、吸引導子４の吸引圧をもって、患者に好適な吸引刺激を付与し、マッサージを施す。
【００２８】
次に、低周波出力部２を作動させ、電極１４に低周波電力を付与し、人体に通電する。
人体の互いに交差する二通電経路に異なる周波数の電流を流し、干渉電流を生じさせ、該干渉電流で電気治療を施す。
【００２９】
圧力センサ７で分配器５の負圧を検出する。
フィードバック制御機能８は、圧力センサ７で検出した実測値が、負圧設定器１８で設定した設定値に一致するように、位相制御回路１６を介して真空ポンプ６をフィードバック制御する。
分配器５の負圧と吸引導子４の負圧とは両者が管路２１で連通されている故にほぼ同じであるから、吸引導子４の負圧値は負圧設定器１８で設定した負圧値に常時一致していると言える。
【００３０】
位相制御回路１６は、マイコン１５と真空ポンプ６の間に接続され、マイコン１５の信号で、位相制御回路１６が内蔵するトライアック（図示省略）の点弧時の位相角を制御し、真空ポンプ６に印加する電力を調節し、真空ポンプ６の出力を調節することによって吸引力を調節する。
【００３１】
スイープ制御機能１７は、繰り返す漸増・漸減信号（＝スイープ信号という）を作り位相制御回路１６に付与するものである。
スイープ制御機能１７のスイープ信号をもって位相制御回路１６は真空ポンプ６をスイープ制御し、吸引導子４の負圧をスイープ制御する。即ち、吸引導子４の負圧を繰り返し漸増・漸減させる。
【００３２】
真空ポンプ６を設定した時間（＝漸増期間であり具体的には２〜６秒）漸増的に増強作動させると、負圧は漸増し吸引導子４の吸引力は漸増する。
設定時間が経過後、真空ポンプ６を設定した時間（＝漸減期間であり具体的には２〜６秒）漸減的に減弱作動させると、負圧は漸減し吸引導子４の吸引力は漸減する。
【００３３】
分配器５にリーク孔２２を設けているので、分配器５内の圧力は、リーク孔２２からの外気の微少な漏れにより、時間と共に１気圧に戻る。故に、負圧の漸減期間の時、真空ポンプ６を停止すると負圧の減少（＝大気圧への移行）は最も短時間となる。
【００３４】
スイープ制御機能１７に係る漸増・漸減信号の、１サイクル分の期間は時間設定器１９で適宜に設定し、１サイクル分の振幅は負圧設定器１８で適宜に設定する。
吸引導子４の吸引圧が漸増・漸減する態様を負圧設定器１８及び時間設定器１９で適宜に設定し決める。
【産業上の利用可能性】
【００３５】
圧力センサ７の出力信号を得て真空ポンプ６をフィードバック制御するフィードバック制御機能８と、真空ポンプ６をスイープ制御するスイープ制御機能１７を設けることによって、治療中の吸引感が、変化に富んで良好となり、好適なマッサージを行ない、マンネリを防止し、充血を緩和する等の配慮を満足する吸引制御部付の低周波治療器に適用できる。
【図面の簡単な説明】
【００３６】
【図１】本発明の実施例１に係る低周波出力部のブロック図である。
【図２】本発明の実施例１に係る吸引制御部のブロック図である。
【図３】本発明の実施例１の外観図である。
【符号の説明】
【００３７】
１    吸引制御部付低周波治療器
２    低周波出力部
３    吸引制御部
４    吸引導子
５    分配器
６    真空ポンプ
７    圧力センサ
８    フィードバック制御機能
９    設定器
１５    マイコン
１６    位相制御回路
１７    スイープ制御機能
１８    負圧設定器
１９    時間設定器
２２    リーク孔
２３    制御回路
【図１】
2006094988.tif 000003
【図２】
2006094988.tif 000004
【図３】
2006094988.tif 000005